(57)【要約】【課題】看板、標識、案内板などとして使用する間仕切りで、暗闇の中では誘導案内、及びメッセージなどを両面表示可能な透視性蓄光表示体の提供と、特に天井設置の場合、火災時に煙の拡散を遅延させる防煙垂壁の機能を有する透視性の間仕切り表示体を提供。【解決手段】蓄光発光性の印刷部を部分的に有する透明基材を透視性蓄光表示体の芯材として、その両面に空隙率２５〜５５％の範囲から選ばれた同一空隙率を有するメッシュシートを積層してなる複合体において、メッシュシートの空隙部同士の積重同調率を６０〜９５％として、複合体の両面に印刷を施す。【選択図】  図２
2014132294.tif 000002
【特許請求の範囲】
【請求項１】
蓄光発光性の印刷部を部分的に有する透明基材を芯材として、その両面に空隙率２５〜５５％の範囲から選ばれた同一空隙率を有するメッシュシートを積層してなる複合体であって、前記メッシュシートの空隙部同士の積重同調率が６０〜９５％であり、前記複合体の両面に印刷が施されていることを特徴とする透視性蓄光表示体。
【請求項２】
前記透明基材が、０．３ｍｍ〜１ｍｍの熱可塑性樹脂フィルム、厚さ１ｍｍ〜５ｍｍの合成樹脂板、またはガラス板の何れか１種である、請求項１に記載の透視性蓄光表示体。
【請求項３】
前記メッシュシートが、穿孔シート、または樹脂被覆した粗目織物である請求項１または２に記載の透視性蓄光表示体。
【請求項４】
前記複合体の両面に、０．１ｍｍ〜１ｍｍの熱可塑性樹脂フィルム、厚さ１ｍｍ〜５ｍｍの合成樹脂板、またはガラス板の何れか１種による透明保護層が設けられている請求項１〜３のいずれか１項に記載の透視性蓄光表示体。
【請求項５】
前記複合体が、フレーム固定により積層構造を維持し、かつ前記透明基材が抜き差し自在である請求項１〜４のいずれか１項に記載の透視性蓄光表示体。
【発明の詳細な説明】
【技術分野】
【０００１】
本発明は間仕切り表示体に関する。本発明は、地下駅舎、地下街、ホテル、デパート、映画館、遊戯施設、博物館、美術館、遊園地などの施設における往来制御のための看板兼用間仕切りや、天井に設置される標識、案内板などにおいて、暗闇の中で避難誘導案内や特別メッセージなどを切り替え表示可能な防災表示体及び防煙垂壁に関する。
【背景技術】
【０００２】
都市部では特に地下駅舎と地下街、地下街と地下街との連絡通路が緻密に発達していることでその利便性が高い。これらの地下連絡通路やコンコースは景観的特徴が似通っているため、道標・標識・案内板等が随所に設置されていても初めての場所では進路がわかり難いことがある。それ故、地震や停電事故に遭遇した場合には、暗闇の中での避難が一層困難となる。また地下通路は閉塞感が強いため、大規模災害による停電の場合には群集の心理的不安を極度に煽り、パニックによる人的事故を引き起こし易い危険を孕んでいる。
【０００３】
そこで本出願人は、地下駅舎、連絡通路、コンコースなどの壁面に設置して用い、普段は広告看板や案内板、ビジュアルボードとして活用するが、停電時の暗闇では避難誘導案内表示板、及びメッセージ等の表示板として切り替え表示機能するような、広告看板と避難誘導標識とを兼用する異種表示構造体（特許文献１）の提案を行った。この異種表示構造体では、確かに停電時に避難誘導案内表示や特別メッセージなどに切り替え表示が可能なものであるが、表示構造体の表面のみの観察に対して異種表示を可能とするもので、従って特許文献１の異種表示構造体は壁設置専用であり、仮に両面での異種表示を行うためには特許文献１の異種表示構造体２対を背中合わせで使用する必要があった。このような表示の要望は具体的に、地下駅舎、連絡通路、コンコース、地下街などでの天井からの吊り下げ標識や案内板などである。
【０００４】
一方、建築材料には最新の法令改正により、フロア面積の大きな店舗やオフィスビルにおいて、火災時に天井を這い伝う煙の拡散を遅延させ、少しでも安全な避難経路を確保するために、天井部にはガラス板で仕切られた防煙区画、すなわち防煙垂壁の設置が法令で義務付けられるようになった。透明ガラス板による防煙垂壁は不燃で、店舗や施設内の空間イメージや美観を損なうことがなく、また防煙垂壁自体の存在も気にならないなど使用環境との調和性に優れている（特許文献２）。しかし、ガラス製の防煙垂壁だと、震災時にはガラス製防煙垂壁が崩落する危険性が指摘され、最近では震災時に崩落しても危険性のより少ない不燃素材への転換が急務とされ、例えばガラス繊維織物を難燃性樹脂で含浸被覆した透明プリプレグ材料（特許文献３）などがガラス代替素材として注目されている。
【０００５】
このように地下駅舎、連絡通路、コンコース、地下街などでの天井からの吊り下げ標識や案内板には、火災時に煙の拡散を遅延させる目的の防煙垂壁としての機能は求められておらず、また大型店舗やオフィスビルなどの天井区画に設置され、煙の拡散を遅延させる目的の防煙垂壁には室内景観上、標識や案内板などの機能、さらには停電時の避難誘導などの防災機能は求められていなかった。拠って地下駅舎、連絡通路、コンコース、地下街などでの天井からの吊り下げ標識や案内板に、火災時に煙の拡散を遅延させる防煙垂壁の機能や設計が付帯され、また大型店舗やオフィスビルなどの天井区画に設置される防煙垂壁に標識や案内板などの機能、さらには停電時の避難誘導などの防災機能や設計が付帯されれば、火災と停電（震災）との両方の非常時において、より効果的な安全確保が期待できる。
【先行技術文献】
【特許文献】
【０００６】
【特許文献１】特開２００９−１８６５２６号公報
【特許文献２】特開２００７−０８２７５９号公報
【特許文献３】特開２００５−３１９７４６号公報
【発明の開示】
【発明が解決しようとする課題】
【０００７】
本発明は、間仕切り看板、間仕切り標識、間仕切り案内板などとして使用することができ、停電または消灯による暗闇の中では誘導案内、及びメッセージなどを両面表示可能な透視性蓄光表示体の提供と、さらに天井に設置した場合には、火災時に煙の拡散を遅延させる防煙垂壁の機能を有する透視性の間仕切り表示体を提供しようとするものである。
【課題を解決するための手段】
【０００８】
上記課題を解決するために、本発明では、蓄光発光性の印刷部を部分的に有する透明基材を芯材として、その両面に空隙率２５〜５５％の範囲から選ばれた同一空隙率のメッシュシートを積層してなる複合体において、メッシュシートの空隙部同士の積重同調率を６０〜９５％として、複合体の両面に印刷を施すことによって得られた透視性蓄光表示体が、停電または消灯による暗闇の中で誘導案内表示、及びメッセージなどを両面表示可能であり、特に透明基材に厚さ１ｍｍ〜５ｍｍのガラス板を用い、さらに複合体の両面に透明保護層として、厚さ１ｍｍ〜５ｍｍのガラス板を設けることによって防煙垂壁の機能を有する透視性の間仕切り表示体が得られることを見出して本発明を完成させるに至った。
【０００９】
すなわち本発明の透視性蓄光表示体は、蓄光発光性の印刷部を部分的に有する透明基材を芯材として、その両面に空隙率２５〜５５％の範囲から選ばれた同一空隙率のメッシュシートを積層してなる複合体であって、前記メッシュシートの空隙部同士の積重同調率が６０〜９５％であり、前記複合体の両面に印刷が施されていることが好ましい。これによって本発明の透視性蓄光表示体は停電または消灯による暗闇の中で誘導案内、及びメッセージなどを両面表示可能とする。
【００１０】
本発明の透視性蓄光表示体は、前記透明基材が、０．３ｍｍ〜１ｍｍの熱可塑性樹脂フィルム、厚さ１ｍｍ〜５ｍｍの合成樹脂板、またはガラス板の何れか１種であることが好ましい。透明基材を熱可塑性樹脂フィルムとすることによって本発明の透視性蓄光表示体に可撓性が付与され、また透明基材を合成樹脂板とすることで本発明の透視性蓄光表示体に形態安定性及び剛直性が付与され、また透明基材をガラス板とすることで本発明の透視性蓄光表示体に不燃性を付与することができる。
【００１１】
本発明の透視性蓄光表示体は、前記メッシュシートが、穿孔シート、または樹脂被覆した粗目織物であることが好ましい。メッシュシートに穿孔シートを使用することでメッシュシートの空隙部同士の積重同調率６０〜９５％を効率的に達成し、本発明の透視性蓄光表示体の透視性及び両面表示をより良好とすることができる。またメッシュシート（特に樹脂被覆した粗目織物）を使用することで本発明の透視性蓄光表示体の破壊強度を高くして、震災などによる崩落時にもガラスなどの破片の飛散を抑制することができる。
【００１２】
本発明の透視性蓄光表示体は、前記複合体の両面に、０．１ｍｍ〜１ｍｍのフィルム、厚さ１ｍｍ〜５ｍｍの合成樹脂板、またはガラス板の何れか１種による透明保護層が設けられていることが好ましい。透明保護層を熱可塑性樹脂フィルムとすることによって本発明の透視性蓄光表示体に可撓性が付与され、また透明保護層を合成樹脂板とすることで本発明の透視性蓄光表示体に形態安定性及び剛直性が付与され、また透明保護層をガラス板とすることで本発明の透視性蓄光表示体に不燃性を付与することができる。
【００１３】
本発明の透視性蓄光表示体は、前記複合体が、フレーム固定により積層構造を維持し、かつ前記透明基材が抜き差し自在であることが好ましい。これによって停電または消灯による暗闇の中で表示する誘導案内、及びメッセージなどの表示パターンを任意に交換することを可能とする。
【発明の効果】
【００１４】
本発明によれば、停電または消灯による暗闇の中では誘導案内、及びメッセージなどを両面表示可能な透視性蓄光表示体が得られ、さらに天井に設置した場合には、火災時に煙の拡散を遅延させる防煙垂壁の機能を有する透視性の間仕切り表示体を得ることができるので、本発明の透視性蓄光表示体を、地下駅舎、地下街、ホテル、デパート、映画館、遊戯施設、博物館、美術館、遊園地などの施設における往来制御のための看板兼用間仕切りや案内板兼用間仕切りなどとして用いることができ、さらには地下駅舎、連絡通路、コンコース、地下街などでの天井からの吊り下げ標識や案内板として、火災時に煙の拡散を遅延させる防煙垂壁の機能が付帯され、また大型店舗やオフィスビルなどの天井区画に設置される防煙垂壁には標識や案内板などの機能、さらには停電時の避難誘導などの防災機能が付帯されるので、火災と停電（震災）との両方の非常時において、より効果的な防災環境が構築できるようになる。
【図面の簡単な説明】
【００１５】
【図１】本願発明の透視性蓄光表示体の断面の一例を表す図
【図２】本願発明の透視性蓄光表示体の断面の一例を表す図
【図３】本願発明の透視性蓄光表示体（明所観察）の外観の一例を表す図
【図４】本願発明の透視性蓄光表示体（暗所観察）の外観の一例を表す図
【発明を実施するための最良の形態】
【００１６】
本発明の透視性蓄光表示体は、蓄光発光性の印刷部を部分的に有する透明基材を芯材として、その両面に空隙率２５〜５５％の範囲から選ばれた同一空隙率のメッシュシートを積層してなる複合体であって、これらメッシュシートの空隙部同士の積重同調率が６０〜９５％であり、複合体の両面には印刷が施され、さらに必要に応じて透明保護層が設けられたものである。本発明の透視性蓄光表示体において透明基材は、１）．０．３ｍｍ〜１ｍｍの熱可塑性樹脂フィルム、２）．厚さ１ｍｍ〜５ｍｍの合成樹脂板、３）．厚さ１ｍｍ〜５ｍｍのガラス板の何れかである。熱可塑性樹脂フィルム．１）としては、ポリエチレンテレフタレート、ポリブチレンテレフタレート、ポリエチレンナフタレートなどのポリエステル樹脂、エチレン及び／又はα−オレフィンモノマーとシクロオレフィンモノマーとの共重合体である環状オレフィンコポリマーなどによるフィルムまたはシートが好ましく、軟質〜半硬質塩化ビニル樹脂、オレフィン樹脂（ＰＥ，ＰＰなど）、オレフィン系共重合体樹脂（ＥＶＡ，ＥＭＭＡなど）、ウレタン樹脂、アクリル樹脂、フッ素含有共重合体樹脂などによるフィルムまたはシートであってもよい。透明基材を熱可塑性樹脂フィルムとすることによって本発明の透視性蓄光表示体に可撓性が付与される。合成樹脂板．２）としては、アクリル樹脂、ポリカーボネート樹脂、環状オレフィンコポリマー、ポリエステル樹脂（ＰＥＴ樹脂）、ビニルエステル樹脂、半硬質ポリ塩化ビニル樹脂などの熱可塑性樹脂であり、屈折率１．４〜１．６ｎｄ（ＪＩＳ  Ｋ７１０５）を有する透明樹脂が最も好ましいが、乳濁半透明のもの、あるいは透明樹脂に光拡散性微粒子を配合したものも使用できる。本発明においてはアクリル樹脂（メタクリレート樹脂）板、及びポリカーボネート樹脂が好ましい。透明基材を合成樹脂板とすることで本発明の透視性蓄光表示体に形態安定性及び剛直性が付与される。ガラス板．３）としては、単板ガラス、複層ガラス、合わせガラス、耐熱ガラス、強化ガラス、クリスタルガラスなどが挙げられる。透明基材をガラス板とすることで本発明の透視性蓄光表示体に不燃性を付与することができる。
【００１７】
この透明基材の少なくとも一方の面には、蓄光発光性の印刷部を部分的に有している。この印刷部は暗闇で避難誘導やメッセージなどを表示する任意の内容で構成され、非印刷部は背景の透視性に寄与する部分となる。印刷部は、例えば「非常口」、「避難場所」、「→」などのピクトグラムやシンボルマーク、「××駅まで１００ｍ」、「あわてずに  ゆっくり！」などのメッセージである。またこれらメッセージ文字のデザインや種類も任意に使用することができる。防災用表示以外では、遊戯施設、遊園地などの娯楽施設においてアニメや漫画の「キャラクター」などを隠し絵として仕込み、暗闇で発光表示することもでき、特に防災用表示に限定されるものではない。また、印刷部の透明基材に対する占有面積は２５〜６５％で、表示と透視性との良好なバランスの観点では３５〜５５％である。印刷部の占有面積が２５％未満だと暗闇での発光表示が目立たないことがあり、また６５％を越えるとシルエットバランスを欠き、かえって発光表示が解かり難くすることがあり、しかも背景の透視性を悪くする。このような印刷部は、印刷、塗装、賦型物貼付、マーキングフィルム貼付、及びこれらの併用によって形成される。これらは具体的に、蓄光顔料粒子を含む塗料、特に透明の合成樹脂溶液中に蓄光顔料粒子を分散させた塗料を用いてのスクリ−ン印刷、グラビア印刷、ハケ塗り塗装であり、これらには紫外線硬化型樹脂を用いてＵＶ硬化したものでもよい。また、例えば、軟質ポリ塩化ビニル樹脂などに蓄光顔料粒子を練り込んでシート加工し、それから任意の形状に切り出した賦型物の貼着、また、ペースト状ポリ塩化ビニル樹脂などに蓄光顔料粒子を分散させた液体を、０．１ｍｍ〜０．５ｍｍ厚のシート状に成形し、これに粘着剤を塗布したマーキングフィルムの貼着である。蓄光発光性の印刷部に含む蓄光顔料粒子量は２０〜６０質量％であり、その量は印刷部の厚さに応じて増減して発光輝度を調整すればよく、例えば、薄い印刷部に対しては高濃度に、厚い印刷部に対してはやや低い濃度に調整すればよい。また、蓄光発光性の印刷部以外の領域は、無色透明であることが好ましいが、着色透明印刷であってもよい。このとき蓄光発光性の印刷部と同系統の色調とすることにより、隠し絵として内蔵する蓄光発光性の印刷部を平時に解かり難いようにする。
【００１８】
蓄光発光性の印刷部に使用する蓄光顔料粒子としては公知の蓄光性夜光体粒子で、主として緑系の燐光発光色タイプ、青系の燐光発光色タイプの粒子などが使用できる。青系の燐光発光色タイプとしては、二価金属アルミン酸塩（例えば、アルミン酸ストロンチウム）の母体結晶に、希土類元素を賦活剤として二価の金属に対し、０．００１〜１０モル％加えた粒子である。二価の金属としては、マグネシウム、カルシウム、ストロンチウム、バリウム、亜鉛などであり、希土類元素としてはセリウム、プラセオジム、ネオジム、サマルウム、ユーロピウム、ガドリニウム、テルビウム、ジスプロシウム、ホルミウム、エルビウム、ツリウム、イッテルビウム、ルテチウムなどであり、具体的には、ＭｏＡｌ２Ｏ３：Ｅｕ、Ｍｏ・ｘＡｌ２Ｏ３：ｙ・ＳｉＯ２Ｅｕ、ＭｏＳｉ２Ｏ３Ｅｕ、ＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄ、ＳｒＡｌ１４Ｂ１４Ｏ２５：Ｅｕ，Ｄｙ等を例示できるが、特に酸化アルミナモリブデン（ＭｏＡｌ２Ｏ３：Ｅｕ）系及び酸化アルミナストロンチウム（ＳｒＡｌ２Ｏ４：Ｅｕ，Ｄｙ）系の青〜青緑に燐光発光する蓄光性夜光体粒子が好ましい。また、酸化イットリウム／硫黄系［Ｙ２Ｏ２：Ｓ：Ｅｕ、Ｌｎ（橙色発光）］、硫化カルシウム／ビスマス系［ＣａＳ：Ｂｉ（紫青色発光）］、硫化カルシウム・ストロンチウム／ビスマス系［ＣａＳｒＳ：Ｂｉ（青色発光）］、硫化亜鉛／銅系［ＺｎＳ：Ｃｕ（緑色発光）］、硫化亜鉛・カドミウム／銅系［ＺｎＣｄＳ：Ｃｕ（黄色〜橙色発光）］などの硫化物系蓄光性蛍光体、ＣａＡｌＳｉＮ3：Ｅｕ、（Ｓｒ，Ｃａ）ＡｌＳｉＮ3：Ｅｕなど赤色発光を呈するＡｌを含むＥｕ付活アルカリ土類珪窒化物蛍光体、Ｃａ2Ｓｉ5Ｎ8：Ｅｕ，Ｔｍなど赤色発光を呈するＥｕ，Ｔｍ付活アルカリ土類珪窒化物蛍光体なども使用することができる。  
【００１９】
蓄光発光性の印刷部を部分的に有する透明基材の両面には、空隙率２５〜５５％の範囲から選ばれた同一空隙率のメッシュシートが積層されるが、この積層は単なる重ね合わせ（非接着）でよい。単なる重ね合わせとすることで本発明の透視性蓄光表示体は、フレーム固定により積層構造を維持しながら透明基材を抜き差し自在とする。それによって暗闇の中で表示する誘導案内、及びメッセージなどの表示パターンを任意に交換することができる。このようなメッシュシートは、１）．空隙率２５〜５５％の穿孔シート、２）．空隙率２５〜５５％の樹脂被覆した粗目織物の何れかである。本発明の透視性蓄光表示体は、空隙率２５〜５５％、好ましくは３５〜５０％のメッシュシートを表裏に有し、表裏のメッシュシートにおける空隙部同士の積重同調率を６０〜９５％として、メッシュシートの空隙率２５〜５５％を最大限活用することで、透視性と蓄光発光表示とのバランスを良好に維持することができる。積重同調率は、透明基材を挟んで互いに対向するメッシュシート積重配置において、一方のメッシュシートＡの空隙面積ａを通して見えるもう一方のメッシュシートＢの空隙面積ｂの認識率（ｂ／ａ×１００％）である。つまり互いのメッシュシート同士の積重配置がずれていると、空隙面積ａを通して見える空隙面積ｂの認識率が低くなり、そのぶんだけ蓄光発光性印刷部の発光表示の発現性を悪くすることになる。また、このようなメッシュシート、特に樹脂被覆した粗目織物によるメッシュシートを使用することで本発明の透視性蓄光表示体の破壊強度を高くして、特に透明基材をガラス板とする透視性蓄光表示体においては、震災による不慮の崩落でのガラス破片の飛散を効果的に抑制することができる。このような飛散防止効果は穿孔シートでも十分に得ることができる。シート全体での積重同調率は、１枚のメッシュシートの光線透過率を分母としたとき、２枚重ね状態でのメッシュシートの光線透過率を分子として表される百分率である。
【００２０】
穿孔シート．１）は、ポリエステル樹脂、アクリル樹脂、ポリウレタン樹脂、ポリアミド樹脂、ポリスチレン樹脂、ポリ塩化ビニル樹脂、ポリエチレン樹脂、ポリプロピレン樹脂などによる、厚さ０．１ｍｍ〜１ｍｍ程度の熱可塑性樹脂フィルム（例えば白着色ＰＥＴフィルム）、または複層シート（白層／黒層）が好ましい。穿孔シートは穿孔部と非穿孔部からなり、非穿孔部は印刷が裏面に透けないよう遮光性を有することが好ましい。遮光手段としては穿孔シートが二酸化チタンを含み、白着色されていることが印刷性と遮光性に都合が良い。また穿孔シート裏面に黒印刷がなされた白黒ツートンシートであること、穿孔シートが難燃剤を含み、防炎性を有することも好ましい。また、穿孔シートは、パンチングなどの方法により多数の穴開けを、単位面積当りに均等密度数で施したもので、孔径は１ｍｍ〜１０ｍｍφ、好ましくは３ｍｍ〜８ｍｍφである。孔径が１ｍｍφ未満だと、得られる透視性蓄光表示体において蓄光発光性の印刷部の発光露出が不十分となることがあり、また孔径が１０ｍｍφを超えると穿孔シートに付帯する印刷の外観が不明瞭となることがある。また穿孔シートの空隙率は２０〜６０であり、特に好ましくは３０〜５０である。空隙率は穿孔シートの単位面積に対して、その単位面積中に含む穿孔の合計面積の比であり、空隙率が２０未満（穿孔の合計面積が２０％未満）だと、得られる透視性蓄光表示体において蓄光発光性の印刷部の発光露出が不十分となることがあり、また空隙率が６０を超える（穿孔の合計面積が６０％を超える）と、穿孔シートに付帯する印刷の外観を不明瞭とすることがある。穿孔の形状は、円形、三角形、四角形、六角形、星型などの幾何学形態、及びこれらの幾何学形態が崩れた不規則形態など任意である。これら上記の穿孔シートにおいて穿孔部が空隙部に相当する。
【００２１】
またメッシュシートとしては、経糸条と、緯糸条からなる粗目布帛を芯材として含み、この経糸条と緯糸条の表面が熱可塑性樹脂で被覆して得られる繊維複合メッシュが使用できる。この繊維複合メッシュは具体的に、織布もしくは編布で、特に糸条と糸条との間に隙間を有する粗目布帛を芯材として、その粗目布帛に含む糸条の表面全面を、軟質ポリ塩化ビニル樹脂、アクリル樹脂、ポリエチレン樹脂、エチレン−酢酸ビニル共重合樹脂、ポリプロピレン樹脂、アイオノマー樹脂、ポリエステル樹脂、ポリウレタン樹脂、フッ素樹脂、及びこれらの共重合体樹脂から選ばれた１種以上の熱可塑性樹脂で被覆したものである。これらの熱可塑性樹脂被覆は、粗目布帛の単位面積当りの質量に対して２０〜１００質量％で、その一部が繊維糸条に含浸していてもよい。粗目布帛としてはポリエステル繊維、ポリプロピレン繊維、ナイロン繊維、ビニロン繊維、ガラス繊維などのモノフィラメント糸条、もしくはマルチフィラメント糸条を用いることができ、これらの糸条は１００〜１０００デニール、好ましくは２５０〜７５０デニールであり、これら糸条の交絡によって得られる、粗目の織布、または編布である。本発明において最も好ましい例は、ポリエステル繊維、特に黒染のポリエステル繊維による粗目平織物を芯材として、軟質配合の白色ポリ塩化ビニル樹脂ペーストをコーティング、またはディッピングの手段で（含浸）被覆して得た繊維複合メッシュを用いることである。繊維複合メッシュには熱プレス処理で表面が平坦化されたものが好ましく使用できる。
【００２２】
繊維複合メッシュは開孔部と非開孔部からなり、非開孔部は熱可塑性樹脂被覆によって遮光性を有することが好ましく、遮光手段としては熱可塑性樹脂被覆層が二酸化チタンを含み、白着色されていることが印刷性と遮光性に都合が良い。また遮光性を増すためにシート裏面に黒印刷がなされた白黒ツートンシートであること、繊維複合メッシュの熱可塑性樹脂被覆層が難燃剤を含み、防炎性を有することも好ましい。また、これらの繊維複合メッシュの開孔部は、孔サイズ１ｍｍ〜１０ｍｍ、好ましくは３ｍｍ〜８ｍｍである。孔サイズが１ｍｍ未満だと、得られる透視性蓄光表示体において蓄光発光性の印刷部の発光露出が不十分となることがあり、また孔サイズが１０ｍｍを超えると繊維複合メッシュに付帯する印刷の外観が不明瞭となることがある。また繊維複合メッシュの空隙率は２０〜６０％であり、特に好ましくは３０〜５０％である。空隙率は繊維複合メッシュの単位面積に対して、その単位面積中に含む開孔の合計面積の比であり、空隙率が２０％未満（開孔の合計面積が２０％未満）だと、得られる透視性蓄光表示体において蓄光発光性の印刷部の発光露出が不十分となることがあり、また空隙率が６０％を超える（開孔の合計面積が６０％を超える）と、繊維複合メッシュに付帯する印刷の外観を不明瞭とすることがある。開孔の形状は、四角形、四隅の丸い四角形などである。これら上記の繊維複合メッシュにおいて開孔部が空隙部に相当する。
【００２３】
本発明の透視性蓄光表示体において、表裏メッシュシートには各々印刷が施されている。この印刷は、絵画、イラスト、写真、文字など、表示内容に特に制限は無く、これらはグラビア印刷、スクリーン印刷、インクジェット印刷、転写印刷などの手段によって、メッシュシートの表面に形成されるものであるが、特にコンピューターで処理された画像データの出力によるインクジェット印刷が好適である。本発明の透視性蓄光表示体は、予めメッシュシートの表面に印刷を施し、印刷が施されたメッシュシートを透明基材の両面に積層したものである。このとき、透明基材側に接するメッシュシート（非印刷面側）の色相は、黒色〜暗灰色などマンセル明度４以下の黒系色とすることが好ましい。透明基材を介在して２層のメッシュシートを積層すると、表裏各々の空隙部（穿孔または開孔）の重なりの同調率を６０〜９５％とすることで、同調がずれた部分が表裏各々のメッシュシートに施した印刷柄に対して、透明基材側に接するメッシュシート（非印刷面側）の黒色〜暗灰色などのマンセル明度４以下の黒系色が縁取りコントラスト効果となって、絵画、イラスト、写真、文字などの表示をより鮮明に引き立たせる効果を得る。これら印刷を施したメッシュシートと、透明基材との積層は接着してもよいが、メッシュシートの印刷及び、蓄光発光性の印刷部を有する透明基材を定期的に別の表示に交換する用途には、弱い粘着剤、粘着テープによる固定、雌雄面ファスナーなどによる微細フック固定、吸盤固定、これら手段による部分固定などで積層を行うとよい。
【００２４】
本発明の透視性蓄光表示体の表裏には、透明保護層が設けられていることが汚れ付着防止、及び印刷の色褪せ抑止の観点で好ましい。透明保護層は、１）．０．１ｍｍ〜１ｍｍの熱可塑性樹脂フィルム、２）．厚さ１ｍｍ〜５ｍｍの合成樹脂板、３）．ガラス板の何れか１種である。熱可塑性樹脂フィルム．１）としては、ポリエチレンテレフタレート、ポリブチレンテレフタレート、ポリエチレンナフタレートなどのポリエステル樹脂、エチレン及び／又はα−オレフィンモノマーとシクロオレフィンモノマーとの共重合体である環状オレフィンコポリマーなどによるフィルムまたはシートが好ましく、軟質〜半硬質塩化ビニル樹脂、オレフィン樹脂（ＰＥ，ＰＰなど）、オレフィン系共重合体樹脂（ＥＶＡ，ＥＭＭＡなど）、ウレタン樹脂、アクリル樹脂、フッ素含有共重合体樹脂などによるフィルムまたはシートであってもよい。透明保護層を熱可塑性樹脂フィルムとすることによって本発明の透視性蓄光表示体に可撓性が付与される。合成樹脂板．２）としては、アクリル樹脂、ポリカーボネート樹脂、環状オレフィンコポリマー、ポリエステル樹脂（ＰＥＴ樹脂）、ビニルエステル樹脂、半硬質ポリ塩化ビニル樹脂などの熱可塑性樹脂であり、屈折率１．４〜１．６ｎｄ（ＪＩＳ  Ｋ７１０５）を有する透明樹脂が最も好ましいが、乳濁半透明のもの、あるいは透明樹脂に光拡散性微粒子を配合したものも使用できる。本発明においてはアクリル樹脂（メタクリレート樹脂）板、及びポリカーボネート樹脂が好ましい。透明保護層を合成樹脂板とすることで本発明の透視性蓄光表示体に形態安定性及び剛直性が付与される。ガラス板．３）としては、単板ガラス、複層ガラス、合わせガラス、耐熱ガラス、強化ガラス、クリスタルガラスなどが挙げられる。透明保護層をガラス板とすることで本発明の透視性蓄光表示体に不燃性を付与することができる。上記熱可塑性樹脂フィルム及び合成樹脂板には印刷の色褪せを効果的に抑止するために、ベンゾフェノン系紫外線吸収剤、ベンゾトリアゾール系紫外線吸収剤、シアノアクリレート系紫外線吸収剤など公知の紫外線吸収剤を含むことが好ましく、これらの添加量は透明保護層に対して０．０１〜１質量％が好適である。これら紫外線吸収剤は、アクリル樹脂、アクリル−シリコン共重合体樹脂、アクリル−フッ素共重合体樹脂、フッ素系共重合体樹脂、フッ化ビニリデン樹脂、アクリル−ウレタン共重合体樹脂、架橋型ウレタン樹脂などの溶液に溶解させたクリア防汚耐光塗料の形態で、上記熱可塑性樹脂フィルム及び合成樹脂板の表面に塗膜形成されていてもよい。また、上記ガラス板表面にはナノサイズのシリカ、光触媒性物質（特に二酸化チタン）、有機シリケート化合物（メチル、またはエチルシリケートの加水分解縮合物）から選ばれた１種以上による薄膜が形成されることによって、更に汚れ防止性を向上させることができる。
【００２５】
以下、本願発明の透視性蓄光表示体を具体的に説明する。図１は本願発明の透視性蓄光表示体の断面の一例を表す図であり、図１の透視性蓄光表示体（１）は、透明基材（２）の表面に表面メッシュシート（３−１）が、透明基材（２）の裏面には裏面メッシュシート（３−２）を積層して配置されてなる複合体の端部をフレーム（５）で固定されたものであり、透明基材（２）の表面には蓄光発光性の印刷部（２−１）が部分的に設けられ、さらに表面メッシュシート（３−１）、及び裏面メッシュシート（３−２）の表面には個々印刷部（３−１−１、３−２−１）とが設けられている。また図２は本願発明の透視性蓄光表示体の断面の一例を表す図であり、図２の透視性蓄光表示体（１）は、図１の透視性蓄光表示体の両面に個々透明保護層（４）を積層して配置されてなる複合体であり、図１の透視性蓄光表示体同様、複合体の端部がフレーム（５）で固定されたものである。図３は本願発明の透視性蓄光表示体（明所観察）の表裏外観の一例を表す図で、明所観察される印刷柄の一例を示し、各々の面から観察される透視背景の描写は省略してある。図４は図３の透視性蓄光表示体を暗所観察したときの外観を一例として表す図である。
【実施例】
【００２６】
［実施例１］
１）．白顔料で着色された０．０５ｍｍ厚の白ＰＥＴ（ポリエチレンテレフタレート）樹脂層と、黒顔料で着色された０．０５ｍｍ厚の黒ＰＥＴ（ポリエチレンテレフタレート）樹脂層とからなる０．１ｍｍ厚の白／黒ツートンフィルムに、直径３．５ｍｍφの円孔を、等間隔で多数個パンチングした、空隙率３８％（穿孔度３８）のメッシュシート（高さ３０ｃｍ×幅１５０ｃｍ）を２枚用意した。（穿孔度はメッシュシートの単位面積に対して、その単位面積中に含む穿孔の合計面積との比である。）このうち１枚のメッシュシートの白ＰＥＴ面には、溶剤系インク使用のインクジェット印刷機を用いて「▲○駅地下連絡通路」のゴシック体による濃紺色の文字印刷層を形成し、もう１枚のメッシュシートの白ＰＥＴ面には、同様にして「●△交差点方面出口」のゴシック体による臙脂色の文字印刷層を形成した。（図３）
２）．厚さが均一に５ｍｍで、屈折率１．４９ｎｄ（ＪＩＳ Ｋ７１０５）の透明アクリル平板（透明基材：高さ３０ｃｍ×幅１５０ｃｍ）の表面に、蓄光顔料粒子含有のインキによるスクリーン印刷により、非常口のゴシック文字と非常口のピクトグラムを印刷し、透明アクリル平板の裏面に同様に非常口の反転文字と非常口の反転ピクトグラムを印刷して、蓄光発光性の印刷部を部分的に有する透明基材を得た。
〈蓄光顔料粒子含有インキ〉
セイコーアドバンス社製の紫外線硬化型スクリーンインキＨＵＧ（エポキシアクリレート系）の標準色クリアーの固形分１００質量部をベースに、青色燐光蓄光顔料粒子（ＭｏＡｌ２Ｏ３：Ｅｕ）４０質量部配合した組成物を使用した。
３）．次に１）で得た２枚の印刷層付きメッシュシートの、黒ＰＥＴ面側にアクリル系粘着剤を丸ドット状にグラビア塗布（メッシュシートの充実面積に対して２０％の占有面積で塗布）し、この２枚を、２）で得た蓄光発光性の印刷部を部分的に有する透明基材の表面、及び裏面に粘着仮止め積層し積重同調率を９０％（透光率による測定値）とした。この端部全周をアルミフレームで挟んで機械的に固定し、高さ３１ｃｍ×幅１５１ｃｍサイズの透視性蓄光表示体を得た。
４）．３）で得た透視性蓄光表示体を、室内の中央部天井に固定装着し、蛍光灯点灯状態で透視性蓄光表示体を観察したところ、一方の観察面側では「▲○駅地下連絡通路」の表示が鮮明に観察され、その背景側景観が透視可能であった。またもう一方の観察面側では「●△交差点方面出口」の表示が鮮明に観察され、その背景側景観も透視可能で、互いの印刷表示が干渉し合う問題は無かった。
５）．４）の状態を１時間継続した後、蛍光灯を消灯したところ、室内は完全な暗闇となって表裏の印刷層「▲○駅地下連絡通路」及び「●△交差点方面出口」は全く見えなくなり、突如、「非常口」のゴシック文字と非常口の「ピクトグラム」の燐光蓄光発光による表示とその反転表示が現出した。この燐光蓄光発光はメッシュシートの穿孔部を透過する青色の燐光発光ドットの集合体で表示され、メッシュシート充実部と非蓄光発光印刷部とによる暗黒部分によってシルエット（影絵）表示されたものであった。
【００２７】
［実施例２］
１）．実施例１のメッシュシート（白／黒ツートンの穿孔シート）を、次の２）に示すメッシュシートに変更した以外は、実施例１と同様にして、印刷層を有するメッシュシートを透明基材の表裏に有する積層体を得た。この２枚のメッシュシート同士の積重同調率は８６％（透光率による測定値）であった。またこの積層体は端部全周をアルミフレームで挟んで機械的に固定し、それによって高さ３１ｃｍ×幅１５１ｃｍサイズの透視性蓄光表示体を得た。この透視性蓄光表示体を、室内の中央部天井に固定装着し、蛍光灯点灯状態で透視性蓄光表示体を観察したところ、一方の観察面側では「▲○駅地下連絡通路」の表示が鮮明に観察され、その背景側景観が透視可能であった。またもう一方の観察面側では「●△交差点方面出口」の表示が鮮明に観察され、その背景側景観も透視可能で、互いの印刷表示が干渉し合う問題は無かった。この状態を１時間継続した後、蛍光灯を消灯したところ、室内は完全な暗闇となって表裏の印刷層「▲○駅地下連絡通路」及び「●△交差点方面出口」は全く見えなくなり、突如、「非常口」のゴシック文字と非常口の「ピクトグラム」の燐光蓄光発光による表示とその反転表示が現出した。この燐光蓄光発光はメッシュシートの開孔部を透過する青色の燐光発光ドットの集合体で表示され、メッシュシート充実部と非蓄光発光印刷部とによる暗黒部分によってシルエット（影絵）表示されたものであった。
２）．〈メッシュ状シート〉
ガラス繊維マルチフィラメント扁平糸条（５００デニール）を経糸条、及び緯糸条とし、経糸条、及び緯糸条の打込本数が８本／１インチである粗目平織物を基布として用い、これを下記配合１による、白色ペースト状ポリ塩化ビニル樹脂組成物で含浸被覆し、これを加熱してゲル化させることによって、白色に着色されて表面が樹脂被覆された空隙率３４％（開孔度３４）のメッシュシート（質量１８０ｇ／ｍ２）を得た。この開孔は１辺が１．６ｍｍサイズの角のとれた四角形であり、メッシュシート１インチ幅当りに含む開孔の分布は各々９個である。
[配合１]
白色ペースト状ポリ塩化ビニル樹脂組成物
塩化ビニル樹脂（重合度１７００）            １００質量部
ＤＯＰ（可塑剤）                              ６５質量部
エポキシ化大豆油（安定剤）                      ４質量部
三酸化アンチモン                              １５質量部
Ｂａ−Ｚｎ（安定剤）                            ２質量部
酸化チタン（白色顔料）                        １０質量部
【００２８】
［実施例３］
実施例１の透視性蓄光表示体の表裏に透明保護層として、厚さが均一に１ｍｍで、屈折率１．４９ｎｄ（ＪＩＳ Ｋ７１０５）の透明アクリル平板（高さ３０ｃｍ×幅１５０ｃｍ）を積重同調率９０％（透光率による測定値）で積層し、この端部全周をアルミフレームで挟み機械的に固定し、高さ３１ｃｍ×幅１５１ｃｍサイズの透視性蓄光表示体を得た。実施例３の透視性蓄光表示体を用いて実施例１と同じ蛍光灯照明及び消灯試験を行った結果、実施例１の透視性蓄光表示体同様、消灯により突如、非常口のゴシック文字と非常口のピクトグラムの燐光蓄光発光による表示とその反転表示が現出した。この燐光蓄光発光はメッシュシートの穿孔部を透過する青色の燐光発光ドットの集合体で表示され、メッシュシート充実部と非蓄光発光印刷部とによる暗黒部分によってシルエット（影絵）表示されたものであった。また蛍光灯照明の元では蓄光表示体の背景側景観が透視可能で、互いの印刷表示が干渉し合う問題は無かった。
【００２９】
［実施例４］
実施例２の透視性蓄光表示体の表裏に透明保護層として、厚さが均一に１ｍｍで、屈折率１．４９ｎｄ（ＪＩＳ Ｋ７１０５）の透明アクリル平板（高さ３０ｃｍ×幅１５０ｃｍ）を積重同調率８６％で積層し、この端部全周をアルミフレームで挟み機械的に固定し、高さ３１ｃｍ×幅１５１ｃｍサイズの透視性蓄光表示体を得た。実施例４の透視性蓄光表示体を用いて実施例２と同じ蛍光灯照明及び消灯試験を行った結果、実施例２の透視性蓄光表示体同様、消灯により突如、非常口のゴシック文字と非常口のピクトグラムの燐光蓄光発光による表示とその反転表示が現出した。この燐光蓄光発光はメッシュシートの開孔部を透過する青色の燐光発光ドットの集合体で表示され、メッシュシート充実部と非蓄光発光印刷部とによる暗黒部分によってシルエット（影絵）表示されたものであった。また蛍光灯照明の元では蓄光表示体の背景側景観が透視可能で、互いの印刷表示が干渉し合う問題は無かった。
【００３０】
［実施例５］
実施例１の厚さ５ｍｍ、屈折率１．４９ｎｄ（ＪＩＳ  Ｋ７１０５）の透明基材用の透明アクリル平板（高さ３０ｃｍ×幅１５０ｃｍ）を、厚さ５ｍｍ、屈折率１．４５８ｎｄ（ＪＩＳ  Ｋ７１０５）の透明基材用の透明ガラス平板（高さ３０ｃｍ×幅１５０ｃｍ）に変更した以外は実施例１と同様にして高さ３１ｃｍ×幅１５１ｃｍサイズの透視性蓄光表示体を得た。（積重同調率９０％：透光率による測定値）
【００３１】
［実施例６］
実施例２の厚さ５ｍｍ、屈折率１．４９ｎｄ（ＪＩＳ  Ｋ７１０５）の透明基材用の透明アクリル平板（高さ３０ｃｍ×幅１５０ｃｍ）を、厚さ５ｍｍ、屈折率１．４５８ｎｄ（ＪＩＳ  Ｋ７１０５）の透明基材用の透明ガラス平板（高さ３０ｃｍ×幅１５０ｃｍ）に変更した以外は実施例２と同様にして高さ３１ｃｍ×幅１５１ｃｍサイズの透視性蓄光表示体を得た。（同調率８６％：透光率による測定値）
【００３２】
［実施例７］
実施例３の厚さ５ｍｍ、屈折率１．４９ｎｄ（ＪＩＳ  Ｋ７１０５）の透明基材用の透明アクリル平板（高さ３０ｃｍ×幅１５０ｃｍ）を、厚さ５ｍｍ、屈折率１．４５８ｎｄ（ＪＩＳ  Ｋ７１０５）の透明基材用の透明ガラス平板（高さ３０ｃｍ×幅１５０ｃｍ）に変更し、さらに透明保護層用の透明アクリル平板（厚さ１ｍｍ、屈折率１．４９ｎｄ（ＪＩＳ  Ｋ７１０５）、高さ３０ｃｍ×幅１５０ｃｍ）を、厚さ１ｍｍ、屈折率１．４５８ｎｄ（ＪＩＳ  Ｋ７１０５）の透明基材用の透明ガラス平板（高さ３０ｃｍ×幅１５０ｃｍ）に変更した以外は実施例３と同様にして高さ３１ｃｍ×幅１５１ｃｍサイズの透視性蓄光表示体を得た。（積重同調率９０％：透光率による測定値）
【００３３】
［実施例８］
実施例４の厚さ５ｍｍ、屈折率１．４９ｎｄ（ＪＩＳ  Ｋ７１０５）の透明基材用の透明アクリル平板（高さ３０ｃｍ×幅１５０ｃｍ）を、厚さ５ｍｍ、屈折率１．４５８ｎｄ（ＪＩＳ  Ｋ７１０５）の透明基材用の透明ガラス平板（高さ３０ｃｍ×幅１５０ｃｍ）に変更し、さらに透明保護層用の透明アクリル平板（厚さ１ｍｍ、屈折率１．４９ｎｄ（ＪＩＳ  Ｋ７１０５）、高さ３０ｃｍ×幅１５０ｃｍ）を、厚さ１ｍｍ、屈折率１．４５８ｎｄ（ＪＩＳ  Ｋ７１０５）の透明基材用の透明ガラス平板（高さ３０ｃｍ×幅１５０ｃｍ）に変更した以外は実施例４と同様にして高さ３１ｃｍ×幅１５１ｃｍサイズの透視性蓄光表示体を得た。（積重同調率８６％：透光率による測定値）
【００３４】
実施例５〜８の透視性蓄光表示体は、実施例１〜４の透視性蓄光表示体同様、消灯により突如、非常口のゴシック文字と非常口のピクトグラムの燐光蓄光発光による表示とその反転表示が現出した。この燐光蓄光発光はメッシュシートの穿孔部または開孔部を透過する青色の燐光発光ドットの集合体で表示され、メッシュシート充実部と非蓄光発光印刷部とによる暗黒部分によってシルエット（影絵）表示されたものであった。また蛍光灯照明の元では蓄光表示体の背景側景観が透視可能で、互いの印刷表示が干渉し合う問題は無かった。特に、透明基材をアクリル樹脂板からガラス板に変更した実施例５〜８の透視性蓄光表示体は、ガラス板表裏にメッシュシート層を積層配置したことでガラス飛散防止効果に優れていた。
〈飛散防止効果〉
透視性蓄光表示体を垂直方向に地上３ｍの高さからコンクリート床に自由落下させた。
ガラス飛散防止効果優れる：ガラス板は割れてガラス破片が飛散することは
なかった。
ガラス飛散防止効果乏しい：ガラス板は割れてガラス破片が飛散した。
また、実施例５〜８の透視性蓄光表示体は耐火性に優れ、特に実施例７及び８の透視性蓄光表示体はその最外層もガラス板で構成することで不燃性規格を満足し、防煙垂壁の使用に適するものであった。
〈不燃性試験：ＡＳＴＭ−Ｅ１３５４：コーンカロリーメーター試験法〉
輻射電気ヒーターによる５０ｋＷ／ｍ２の輻射熱を透視性蓄光表示体面に２０分間照射し、この発熱性試験において、２０分間の総発熱量と発熱速度を測定し、試験後の透視性蓄光表示体の外観を観察した。
（ａ）総発熱量：８ＭＪ／ｍ２以下のものを適合とした。
（ｂ）発熱速度：１０秒以上継続して２００ｋＷ／ｍ２を超えないものを適合とした。
（ｃ）外観観察：直径０．５ｍｍを超えるピンホール陥没痕の発生がないものを適合と
した。
【００３５】
［比較例１］
実施例１の透視性蓄光表示体において、２枚のメッシュシートのうち、裏面用の１枚のみを次のメッシュシートに変更した以外は実施例１と同様として、高さ３１ｃｍ×幅１５１ｃｍサイズの透視性蓄光表示体を得た。
〈裏面用メッシュシート〉
白顔料で着色された０．０５ｍｍ厚の白ＰＥＴ（ポリエチレンテレフタレート）樹脂層と、黒顔料で着色された０．０５ｍｍ厚の黒ＰＥＴ（ポリエチレンテレフタレート）樹脂層とからなる０．１ｍｍ厚の白／黒ツートンフィルムに、直径２．５ｍｍφの円孔を、等間隔で多数個パンチングした空隙率２６％（穿孔度２６）のメッシュシート。（高さ３０ｃｍ×幅１５０ｃｍ）表面用メッシュシートと裏面用メッシュシートとの積重同調率は３７％（透光率による測定値）で、本発明において好ましい積重同調率の範囲を外れて下回るものであった。
得られた表示体を用いて実施例１と同じ蛍光灯照明及び消灯試験を行った結果、消灯により現出した燐光発光表示は輝度が低く、しかも輪郭が不鮮明で、非常口のゴシック文字や非常口のピクトグラムの判読が困難であった。
【００３６】
［比較例２］
実施例２の透視性蓄光表示体において、２枚のメッシュシートのうち、裏面用の１枚のみを次のメッシュシートに変更した以外は実施例２と同様として、高さ３１ｃｍ×幅１５１ｃｍサイズの透視性蓄光表示体を得た。
〈裏面用メッシュシート〉
ガラス繊維マルチフィラメント扁平糸条（５００デニール）を経糸条、及び緯糸条とし、経糸条、及び緯糸条の打込本数が１１本／１インチである粗目平織物を基布として用い、これを配合１による、白色ペースト状ポリ塩化ビニル樹脂組成物で含浸被覆し、これを加熱してゲル化させることによって、白色に着色されて表面が樹脂被覆された空隙率２６％（開孔度２６）のメッシュシート（質量２４０ｇ／ｍ２）を得た。この開孔は１辺が１．１ｍｍサイズの角のとれた四角形であり、メッシュシート１インチ幅当りに含む開孔の分布は各々１２個である。表面用メッシュシートと裏面用メッシュシートとの積重同調率は３１％（透光率による測定値）で、本発明において好ましい積重同調率の範囲を外れて下回るものであった。
得られた表示体を用いて実施例１と同じ蛍光灯照明及び消灯試験を行った結果、消灯により現出した燐光発光表示は輝度が低く、しかも輪郭が不鮮明で、非常口のゴシック文字や非常口のピクトグラムの判読が困難であった。
【００３７】
［比較例３］
実施例１の表示体において、２枚のメッシュシートのうち、裏面用の１枚のみを実施例２のメッシュシートに変更した以外は実施例１と同様として、高さ３１ｃｍ×幅１５１ｃｍサイズの透視性蓄光表示体を得た。表面用メッシュシート（実施例１）と裏面用メッシュシート（実施例２）との積重同調率は２４％（透光率による測定値）で、本発明において好ましい積重同調率の範囲を外れて下回るものであった。得られた表示体を用いて実施例１と同じ蛍光灯照明及び消灯試験を行った結果、消灯により現出した燐光発光表示は輝度が低く、しかも輪郭が不鮮明で、非常口のゴシック文字や非常口のピクトグラムの判読が困難であった。
【産業上の利用可能性】
【００３８】
上記実施例１〜８によって明らかなように、本願発明の透視性蓄光表示体は、停電または消灯による暗闇の中では誘導案内、及びメッセージなどを両面表示可能な透視性蓄光表示体が得られ、特に実施例５〜８の透視性蓄光表示体を天井に設置した場合には、火災時に煙の拡散を遅延させる防煙垂壁の機能を有する透視性の間仕切り表示体を得ることができるので、本発明の透視性蓄光表示体を、地下駅舎、地下街、ホテル、デパート、映画館、遊戯施設、博物館、美術館、遊園地などの施設における往来制御のための看板兼用間仕切りや案内板兼用間仕切りなどとして用いることができ、さらには地下駅舎、連絡通路、コンコース、地下街などでの天井からの吊り下げ標識や案内板として、火災時に煙の拡散を遅延させる防煙垂壁の機能が付帯され、また大型店舗やオフィスビルなどの天井区画に設置される防煙垂壁には標識や案内板などの機能、さらには停電時の避難誘導などの防災機能が付帯されるので、火災と停電（震災）との両方の非常時において、より効果的な防災環境が構築できるようになる。
【符号の説明】
【００３９】
１  透視性蓄光表示体（複合体）
２  透明基材
２−１  蓄光発光性の印刷部
３  メッシュシート
３−１  表面メッシュシート
３−１−１  印刷部
３−２  裏面メッシュシート
３−２−１  印刷部
４  透明保護層
５  フレーム
【図１】
2014132294.tif 000003
【図２】
2014132294.tif 000004
【図３】
2014132294.tif 000005
【図４】
2014132294.tif 000006